(57)【要約】【課題】それぞれ発光色の異なる複数の発光素子を組み合わせた照明色で照明する際に、点灯直後からの照明色の変化を抑えることのできる照明装置を提供する。【解決手段】照明装置では、光色がそれぞれ異なる複数の発光素子からの光を混色させた照明色で点灯する際に（Ｓ１０１）、点灯開始時の複数の発光素子間の明るさの比率を特定し（Ｓ１０３）、初期の比率と各光色の発光素子の点灯開始時からの時間経過に伴う明るさの低下率である減光率（Ｓ１０５）とに基づいて、複数の発光素子のうちの少なくとも一部の発光素子の出力を補正する（Ｓ１０７，Ｓ１０９）。【選択図】図１１
2013239339.tif 000002
【特許請求の範囲】
【請求項１】
光色がそれぞれ異なる複数の発光素子を有する発光部と、
前記複数の発光素子の出力をそれぞれ制御して、前記発光部からの発光色を制御する制御部とを備え、
前記制御部は、前記複数の発光素子からの光を混色させた照明色で点灯する際に、点灯開始後の所定のタイミングにおいて、当該タイミングにおける前記複数の発光素子間の明るさの比率が点灯開始時の明るさの比率となるように、前記複数の発光素子のうちの少なくとも一部の発光素子の出力を補正する、照明装置。
【請求項２】
前記発光部は、第１発光素子と、前記第１発光素子と光色が異なり、かつ点灯開始時からの時間経過に伴う明るさの低下率である減光率が前記第１発光素子よりも大きい第２発光素子とを含み、
前記制御部は、前記第１発光素子と前記第２発光素子とのうち一方の発光素子の出力を、他方の発光素子との明るさの比率が点灯開始時における明るさの比率となるように補正する、請求項１に記載の照明装置。
【請求項３】
前記制御部は、前記発光素子の出力の補正を点灯開始の後に複数回行ない、補正するタイミングの時間間隔を点灯開始からの経過時間に従って長くする、請求項１または２に記載の照明装置。
【請求項４】
前記少なくとも一部の発光素子について、点灯開始後から経過時間に応じた出力の補正値を記憶するための記憶部をさらに備え、
前記制御部は、前記補正値を前記記憶部から読み出して前記少なくとも一部の発光素子の出力を補正する、請求項１〜３のいずれかに記載の照明装置。
【請求項５】
前記発光部は、赤色の発光素子を含む、請求項１〜４のいずれかに記載の照明装置。
【発明の詳細な説明】
【技術分野】
【０００１】
この発明は照明装置に関し、特に、発光素子を光源とする照明装置に関する。
【背景技術】
【０００２】
従来の照明装置として、たとえば特開２０１０−１７６９８６号公報（以下、特許文献１）は、異なる色の複数のＬＥＤ（発光素子）を含んだ照明装置であって、異なる光色を混色させて所定の色の光を発光させる照明装置を開示している。
【先行技術文献】
【特許文献】
【０００３】
【特許文献１】特開２０１０−１７６９８６号公報
【発明の概要】
【発明が解決しようとする課題】
【０００４】
ところで、ＬＥＤは、点灯直後から時間の経過に従って明るさが低下する性質がある。このような明るさの低下は、ＬＥＤの点灯直後からの温度上昇に起因するものである。
【０００５】
また、その明るさの低下割合は、光色が異なるＬＥＤの種類ごとに異なる場合がある。たとえば、特に赤色ＬＥＤは昼光色や電球色のＬＥＤに比べ、時間の経過に従って明るさが低下する割合が大きくなる。
【０００６】
このため、上記特許文献１に記載の、赤色系（Ｒ）、緑色系（Ｇ）、および青色系（Ｂ）の３色の光色が異なる複数のＬＥＤからの光を混色させて所定の色の光を発光させる照明装置において、たとえば赤色系のＬＥＤが他の色のＬＥＤよりも明るさの低下率が大きい場合、それぞれのＬＥＤからの光の明るさの比率が時間経過とともに変化するため、点灯直後から次第に照明色が変化することになる。その結果、点灯開始時に出力した所定の照明色を時間経過に従って維持することができなくなるという問題がある。
【０００７】
本発明はこのような問題に鑑みてなされたものであって、それぞれ発光色の異なる複数の発光素子を組み合わせた照明装置であって、点灯直後からの照明色の変化を抑えることのできる照明装置を提供することを目的としている。
【課題を解決するための手段】
【０００８】
上記目的を達成するために、本発明のある局面に従うと、照明装置は、光色がそれぞれ異なる複数の発光素子を有する発光部と、複数の発光素子の出力をそれぞれ制御して、発光部からの発光色を制御する制御部とを備える。制御部は、複数の発光素子からの光を混色させた照明色で点灯する際に、点灯開始後の所定のタイミングにおいて、当該タイミングにおける複数の発光素子間の明るさの比率が点灯開始時の明るさの比率となるように、複数の発光素子のうちの少なくとも一部の発光素子の出力を補正する。
【０００９】
好ましくは、発光部は、第１発光素子と、第１発光素子と光色が異なり、かつ点灯開始時からの時間経過に伴う明るさの低下率である減光率が第１発光素子よりも大きい第２発光素子とを含み、制御部は、第１発光素子と第２発光素子とのうち一方の発光素子の出力を、他方の発光素子との明るさの比率が点灯開始時における明るさの比率となるように補正する。
【００１０】
好ましくは、制御部は、発光素子の出力の補正を点灯開始の後に複数回行ない、補正するタイミングの時間間隔を点灯開始からの経過時間に従って長くする。
【００１１】
好ましくは、照明装置は上記少なくとも一部の発光素子についての点灯開始後から経過時間に応じた出力の補正値を記憶するための記憶部をさらに備え、制御部は、補正値を記憶部から読み出して少なくとも一部の発光素子の出力を補正する。
【００１２】
好ましくは、発光部は、赤色の発光素子を含む。
【発明の効果】
【００１３】
この発明によると、それぞれ発光色の異なる複数の発光素子を組み合わせて点灯する際に、点灯開始から時間が経過しても、点灯開始時の照明色を維持することができる。
【図面の簡単な説明】
【００１４】
【図１】発明の実施の形態に従う照明装置の外観構成図である。
【図２】本発明の実施の形態に従う照明装置のハードウェアを説明する概略ブロック図である。
【図３】本発明の実施の形態に従うＬＥＤモジュールの構成を説明する図である。
【図４】ＬＥＤモジュールが照明装置１に配置されている場合の一例を説明する図である。
【図５】赤色ＬＥＤの明るさ（照度［ｌｘ］）の測定結果および各経過時間における明るさの開始直後の明るさからの減少率（減光率）を表わした図である。
【図６】図５の測定結果をプロットして得られた赤色ＬＥＤの明るさの時間変化を表わした図である。
【図７】各色ＬＥＤの明るさの測定結果および初期（点灯開始時）出力から減光率を表わした図である。
【図８】図７の測定結果をプロットして減光特性を表わした図である。
【図９】図７の測定結果に対して、昼光色ＬＥＤの出力値の変化を算出した結果を表わした図である。
【図１０】照明装置の機能構成の具体例を表わすブロック図である。
【図１１】照明装置での制御の流れを表わすフローチャートである。
【図１２】調光率の変化を規定したテーブルの具体例を示す図である。
【発明を実施するための形態】
【００１５】
以下に、図面を参照しつつ、本発明の実施の形態について説明する。以下の説明では、同一の部品および構成要素には同一の符号を付してある。それらの名称および機能も同じである。
【００１６】
＜システム構成＞
図１は、本発明の実施の形態に従う照明装置１の外観構成図である。
【００１７】
図１を参照して、本発明の実施の形態に従う照明装置１には、本体部を取り付けるためのシャーシ２と、シャーシ２とともに本体部全面を覆うカバー８，９とが設けられている場合が示されている。本例においては、一例として、照明装置１のシャーシ２が天井に取り付けられているものとする。
【００１８】
カバー８は、光源としての照明用のＬＥＤモジュールが配置される領域に対応して設けられる。当該カバー８の領域から光が照射される。
【００１９】
カバー８の中央付近に設けられている別のカバー９は、ＬＥＤモジュールを制御する基板等の制御装置が配置される領域に対応して設けられる。当該カバー９に対応する領域には常夜灯が配置されてもよい。もちろん、常夜灯光源は照明部の光源の一部を利用してもよいし、別光源でもよい。また、もちろん、常夜灯が配置される位置も限定されない。
【００２０】
図２は、本発明の実施の形態に従う照明装置１のハードウェアを説明する概略ブロック図である。
【００２１】
図２を参照して、本発明の実施の形態に従う照明装置１は、電源回路１０と、照明制御部２０と、照明部３０と、インタフェース部４０とを含む。
【００２２】
電源回路１０は、交流電源入力（ＡＣ入力）（１００Ｖ）を受けて直流電圧に変換して装置の各部に電圧を供給する。なお、本例においては、一例として制御電源供給回路２１および照明部３０のみに電圧が供給されているように示されているが、特にこれに限られず、他の部位に対しても必要な電圧が供給されるものとする。
【００２３】
照明制御部２０は、電源回路１０から供給される電圧をＣＰＵ２２に供給するために調整する制御電源供給回路２１と、照明装置１全体を制御するためのＣＰＵ（Central Processing Unit）２２と、ＰＷＭ（Pulse Width Modulation）制御回路２３と、ＳＷ入力部２６と、水晶発振子２７と、照度センサ２８と、メモリ２９とを含む。一例としてＣＰＵ２２とメモリ２９とＰＷＭ制御回路２３とはマイコン（マイクロコンピュータ）によって構成される。
【００２４】
ＣＰＵ２２は、各部と接続されるとともに、照明装置１全体を制御するために必要な動作を指示する。
【００２５】
ＰＷＭ制御回路２３は、ＣＰＵ２２からの指示に従ってＬＥＤモジュール３１，３２，３５，３７を駆動するために必要なＰＷＭパルスを生成する。
【００２６】
ＳＷ入力部２６は、操作ＳＷ（スイッチ）４２と接続されて、操作ＳＷの操作に応答した指示をＣＰＵ２２に出力する。
【００２７】
水晶発振子２７は、所定の周期で発振信号を生成してＣＰＵ２２に出力する。ＣＰＵ２２は、水晶発振子２７から発振される発振信号（クロック信号）の入力を受けて、当該クロック信号に同期した各種動作を実行する。なお、ＣＰＵ２２は、水晶発振子２７から出力される発振信号に従って時刻を正確に計測することが可能であるものとする。
【００２８】
照度センサ２８は、照明装置１周辺の被照射面の単位面積当たりの明るさである照度をＬＥＤモジュール３１，３２，３５，３７ごとに計測してＣＰＵ２２に出力する。そのための構成として、たとえば、照度センサ２８は、ＬＥＤモジュール３１，３２，３５，３７ごとに設けられてもよいし、計測対象とするＬＥＤモジュールの照度を計測可能な位置に移動する機構が設けられてもよい。この具体的な構成は限定されない。ＣＰＵ２２は、照度センサ２８からの測定結果に基づいて、後述する制御を行なうようにしてもよい。
【００２９】
メモリ２９は、照明装置１を制御するための各種プログラムおよび初期値等が格納されるとともに、ＣＰＵ２２のワーキングメモリとしても用いられる。
【００３０】
発光部としての照明部３０は、互いに光色（色温度）の異なる発光素子としてのＬＥＤを有するＬＥＤモジュール３１，３２，３５，３７と、ＬＥＤモジュール３１，３２，３５，３７を駆動するために用いられるＦＥＴ（Field Effect Transistor）スイッチ３３，３４，３６，３８とを含む。本例において、ＬＥＤモジュール３１の色温度は５６００Ｋ程度、ＬＥＤモジュール３２の色温度は２８００Ｋ程度とする。以下、ＬＥＤモジュール３１を昼光色ＬＥＤ（単に昼光色）とも称する。また、ＬＥＤモジュール３２を電球色ＬＥＤ（単に電球色）とも称する。また、ＬＥＤモジュール３５を赤色ＬＥＤ（単に赤色）とも称する。また、ＬＥＤモジュール３７を常夜灯ＬＥＤ（単に常夜灯）とも称する。なお、ここでは、ＬＥＤモジュール３１，３２，３５は、それぞれ１つずつ１組として設けられている場合が示されているが、複数組が設けられる構成とすることも可能である。また、ＦＥＴスイッチ３３，３４，３６はＰＷＭ制御回路２３にあってもよい。
【００３１】
なお、ＬＥＤ３７およびＦＥＴ３８は常夜灯として用いられるものであってよい。常夜灯としては、たとえば電球色ＬＥＤが使用され得る。しかしながら、光色は電球色に限定されず、青色や白色等であってもよい。
【００３２】
インタフェース部４０は操作ＳＷ４２を含む。また、当該照明装置１を制御するためのリモコンが備えられる場合、インタフェース部４０は、リモコンからの信号を受信するための受信部をさらに含んでもよい。
【００３３】
操作ＳＷ４２は、電源スイッチ等を含み、ユーザの電源スイッチ等のスイッチ操作に応答した指示がＳＷ入力部２６を介してＣＰＵ２２に出力される。なお、電源スイッチがオンの場合には、照明装置１には必要な電源が供給され、電源スイッチがオフの場合には、照明装置１には電源が供給されないものとする。本例における各種動作については、電源スイッチがオンの場合とする。
【００３４】
図３は、本発明の実施の形態に従うＬＥＤモジュール３１，３２，３５の構成を説明する図である。
【００３５】
図３を参照して、ＣＰＵ２２は、ＰＷＭ制御回路２３に指示してＬＥＤモジュール３１，３２，３５のうちの少なくとも１つを駆動するためのＰＷＭパルスＳ１，Ｓ２，Ｓ３を生成して出力する。
【００３６】
ＬＥＤモジュール３１，３２，３５は、電源回路１０から必要な電圧の供給を受ける。ＬＥＤモジュール３１，３２，３５と接地電圧ＧＮＤとの間には、ＦＥＴスイッチ３３，３４，３６とがそれぞれ設けられている。
【００３７】
そして、ＰＷＭパルスＳ１，Ｓ２，Ｓ３に応答してＦＥＴスイッチ３３，３４，３６が導通／非導通となることによりＬＥＤモジュール３１，３２，３５に電流が供給／遮断される。ＬＥＤモジュール３１，３２，３５に電流が供給されることによりＬＥＤモジュール３１，３２，３５はそれぞれ発光する。なお、ここでは、ＬＥＤモジュール３１，３２，３５を駆動する構成について説明したが、常夜灯ＬＥＤ３７等の他のＬＥＤモジュールがさらに複数個設けられている場合についても同様である。
【００３８】
図４は、ＬＥＤモジュール３１，３２，３５が照明装置１に配置されている場合の一例を説明する図である。
【００３９】
図４を参照して、ＬＥＤモジュール３１，３２，３５を互いに隣接して配置し、かつ、複数組円形状に配列して実装した場合が示されている。色温度の異なるＬＥＤモジュール３１，３２，３５を互いに隣接して実装することにより、それぞれのＬＥＤモジュールから発光される光を混ざりやすくし、照射面での色のバラツキ、ムラを無くすことが可能となる。
【００４０】
なお、本発明にかかる光源はＬＥＤに限定されず、蛍光灯、ＥＬ（Electro-Luminescence）等の光源であってもよい。
【００４１】
＜課題の説明＞
照明装置１には、互いに光色（色温度）の異なる複数のＬＥＤモジュール３１，３２，３５，３７が配備されており、それらを所定の割合で点灯させることで、指定された照明色で照明する。
【００４２】
ところが、ＬＥＤは点灯開始から時間の経過に従って明るさが減少する性質があり、さらに光色によって点灯開始からの明るさの減少率（減光率）が異なる。特に赤色ＬＥＤであるＬＥＤモジュール３５は、他のＬＥＤモジュール３１，３２，３７よりも減光率が大きい。本例では、赤色ＬＥＤであるＬＥＤモジュール３５が第２発光素子に相当し、その他のＬＥＤモジュール３１，３２，３７が第１発光素子に相当する。そのため、ＬＥＤモジュール３５の点灯を要する照明色で照明する場合、点灯開始時には、各ＬＥＤモジュール間の明るさの比率は各ＬＥＤモジュール間の出力比率（調光率の比率等）と略同一であるが、点灯開始時から各ＬＥＤモジュール間の出力比率を固定しておくと、各ＬＥＤモジュール間の明るさの比率が変化するため時間経過に従って照明色が変化する。
【００４３】
図５は、発明者らの測定で得られた、赤色ＬＥＤの明るさ（照度［ｌｘ］）の測定結果および各経過時間における明るさの開始直後の明るさからの減少率（減光率）を表わした図であり、図６はその結果をプロットして得られた赤色ＬＥＤの明るさの時間変化を表わした図である。発明者らは、調光率１００％として、１分ごとに赤色ＬＥＤの明るさを測定した。なお、本例では発明者らは照度を測定することで減光率を算出したが、減光率の算出方法はこれに限定されず、輝度や全光束等その他の指標で表される明るさの測定結果から算出してもよい。
【００４４】
なお、ここで「調光率」は、最大出力時（たとえばデューティー比１００％）に対する調光時の出力比率（デューティー比）を指すものとする。ただし、全灯時は調光（出力を絞ること）は行なわないものの、「全灯」は調光率１００％で定義される出力での点灯状態を指すものとする。なお、本例では、ＰＷＭ制御回路２３によりデューティー比を調整することで調光する例について説明するが、本発明における調光制御方法はこれに限定されず、たとえば電流量を調整する方法等、他の調光制御方法であってもよい。
【００４５】
図５および図６を参照して、赤色ＬＥＤは、点灯開始から最初の１分で大きく明るさが減少し、その後、徐々に明るさが減少し、３０分経過した時点で点灯開始時の明るさの９割程度まで明るさが減少することがわかった。
【００４６】
図７は、発明者らの測定で得られた、各色ＬＥＤの明るさの測定結果および初期（点灯開始時）出力から減光率を表わした図であり、図８はその結果をプロットして減光特性を表わした図である。図５および図６で表わされた測定と同様に調光率１００％として、赤色ＬＥＤは１分ごとに測定し、昼光色ＬＥＤは５分ごとに測定し、図８では５分ごとの測定結果をプロットしている。
【００４７】
図７および図８を参照して、赤色ＬＥＤおよび昼光色ＬＥＤともに点灯開始から最初の５分で大きく減光するものの、昼光色ＬＥＤの減光率は赤色ＬＥＤの減光率の７割程度であり、赤色ＬＥＤの減光率が昼光色ＬＥＤと比較してかなり大きいことがわかった。
【００４８】
なお、この測定より、赤色ＬＥＤも昼光色ＬＥＤも、時間が経過するにつれて減光速度（単位時間当たりの減光率）が小さくなっており、３０分程度経過以降から減光率の変化が概ねなくなることがわかった。この測定では、赤色ＬＥＤは減光率が７．１％から変化しなくなった。
【００４９】
なお、図７および図８には赤色以外のＬＥＤとして昼光色ＬＥＤの測定結果が示されているが、電球色ＬＥＤの測定結果は昼光色ＬＥＤの測定結果と同様である。なぜなら、電球色ＬＥＤは、昼光色ＬＥＤと同じ青色ＬＥＤを発光させるものであるため、その減光率は昼光色ＬＥＤと概ね同じと考えられるためである。
【００５０】
したがって、赤色ＬＥＤは、他の色のＬＥＤ（特に、青色ＬＥＤからの光と蛍光体からの励起光とが混色された擬似白色光を発光するＬＥＤ）と比較してその減光率がかなり大きいことがわかった。
【００５１】
そのため、複数の異なる色のＬＥＤを混合して所定の色となるように調光して照明する場合に、点灯開始からの時間経過に伴い、照明色が異なってくるという問題が生じる。特に、上記複数の異なる色の中に赤色が含まれる場合、上述のように赤色ＬＥＤの減光率が他の色のＬＥＤと比較して大きいため、明るさの割合が時間経過に伴って大きく変化することになる。
【００５２】
たとえば、図７の測定結果の最初の１分間の減光率に着目すると、赤色ＬＥＤの減光率は３．８％であるのに対して、昼光色ＬＥＤの減光率は０．７％となっている。そのため、点灯開始時に調光率１００％の出力に対して赤色：昼光色を１００％：６０％の出力（たとえば調光率やディーティー比）の割合となる色で点灯させていたとすると、１分後の赤色ＬＥＤの明るさは開始時の明るさの９６．２（＝１００−３．８）％、昼光色ＬＥＤの明るさは開始時の明るさの９９．３（＝１００−０．７）％となり、明るさの比率が変化するため照明色が変化してしまう。
【００５３】
この問題を解消するため、本実施の形態にかかる照明装置１では、規定された色で発光する際に、点灯開始直後からの各ＬＥＤモジュール間の明るさ（たとえば輝度、照度、全光束）の比率の変化を低減すべく、各色のＬＥＤモジュール３１，３２，３７の出力比率を時間経過に従って変化させるように少なくとも１種類のＬＥＤモジュールの出力（調光率）を補正して、時間経過に伴う色の変化を抑えるよう制御する。
【００５４】
＜制御の原理＞
上の例では、点灯開始時に調光率１００％に対して赤色：昼光色を１００％：６０％の出力の割合となる照明色で点灯させていた場合に、１分経過後に赤色：昼光色が９６．２％：９９．３％の明るさの割合となる照明色に変化する。
【００５５】
この場合、１分経過後に昼光色ＬＥＤの出力を調光率６０％から５８．１％へ出力を下げるように補正することで、１分経過後の赤色ＬＥＤと昼光色ＬＥＤとの明るさの比率は点灯開始時と同じ１００：６０となる。すなわち、１分経過後の昼光色ＬＥＤの出力は、昼光色ＬＥＤの出力の調光率１００％に対する割合をＡとすると、
１００：６０＝９６．２：９９．３×Ａ
で表わされる式を用いて算出することで、Ａ≒５８．１２で得られる。
【００５６】
図９は、図７の測定結果に対して、上記式を用いて１分ごとの赤色ＬＥＤおよび昼光色ＬＥＤの減光率に基づいて赤色：昼光色の明るさの比率が１００％：６０％となるための昼光色ＬＥＤの出力を算出した結果を表わした図である。図９の右端列に表わされるように、点灯開始から１分ごとに、昼光色ＬＥＤの出力は、５８．１％、５８．３％、５８．５％、５８．８％、…と算出される。この場合、赤色ＬＥＤの出力（調光率）は点灯開始時の出力である調光率１００％で維持されている。
【００５７】
なお、図９の例は１分間隔での計算結果であるが、より細かい間隔で赤色ＬＥＤおよび昼光色ＬＥＤの減光率が得られている場合にはより細かい間隔で計算されてもよい。一例として、１秒単位のタイミングで計算することが挙げられる。この時間間隔については、変形例において説明する。
【００５８】
＜動作概要＞
本実施の形態にかかる照明装置１では、複数の異なる色のＬＥＤからの光を混色して所定の照明色となるように調光して照明する場合に、上に説明された原理を利用して、各色のＬＥＤモジュール３１，３２，３７の明るさの比率を点灯開始時の明るさの比率で維持するよう、点灯開始からの時間経過に従って少なくとも１種類のＬＥＤモジュールの調光率を補正する。
【００５９】
すなわち、照明装置１では、予め規定されたタイミングで各色ＬＥＤモジュールの照度を照度センサ２８で計測し、点灯開始時の明るさからの減光率が算出される。そして、減光後の各色ＬＥＤモジュール間の明るさの比率が点灯開始時の比率となるよう、少なくとも１つのＬＥＤモジュールの調光率を補正する。
【００６０】
具体的には、それぞれの発光色の異なる複数の色のＬＥＤモジュールをそれぞれ規定された明るさの比率で点灯させる場合であって、各ＬＥＤモジュールの減光率が異なる場合に、各ＬＥＤモジュール間の明るさの比率が点灯開始時の上記規定された明るさの比率と概ね同じとなるように、たとえば、減光率の最も大きいＬＥＤモジュールの調光率に応じて他のＬＥＤモジュールの調光率を補正する（減少させる）。
【００６１】
上の例では、赤色ＬＥＤと昼光色ＬＥＤとを１００：６０の出力比（点灯開始時の各色ＬＥＤの調光率の比率）で点灯させる場合、所定のタイミングで、当該タイミングにおける赤色ＬＥＤと昼光色ＬＥＤとの明るさの比率が１００：６０となるように、そのタイミングにおける減光率の大きい方（より輝度が低下している方）の赤色のＬＥＤモジュールの出力に基づいて減光率の小さい方のＬＥＤモジュールである昼光色のＬＥＤモジュールの調光率を補正する。なお、本例では、点灯開始時においては各色ＬＥＤ間の明るさの比率は、各色ＬＥＤ間の出力（調光率）の比率と略同一とみなしている。しかし、各色ＬＥＤ間の点灯時の明るさの比率が調光率の比率と異なる場合は、各色ＬＥＤの調光率に対する明るさの実測値に基き、各色ＬＥＤ間の点灯開始時の調光率の比率を設定してもよい。
【００６２】
このように制御することで、時間経過に伴う実際の出力に基づいて各色ＬＥＤの明るさの比率を点灯開始時の明るさの比率で維持することが可能であるため、時間経過に伴う照明色の変化を抑えることができる。
【００６３】
以上説明した例では、赤色ＬＥＤと昼光色ＬＥＤとを１００：６０の出力比で点灯させているため、減光率が各ＬＥＤモジュール間で最も大きい赤色ＬＥＤの調光率は１００％以上には増加させることができないので点灯開始から変化させずに１００％で維持し、赤色ＬＥＤよりも減光率が小さい昼光色ＬＥＤの調光率を減少させることで補正し、各ＬＥＤモジュール間の明るさの比率が点灯開始時の明るさの比率を維持するように制御してある。
【００６４】
しかしながら、本発明における制御方法は上記に限らず、点灯開始時の調光率の比率が最も小さい方のＬＥＤモジュールの調光率を、時間の経過に応じて補正する方法であってもよい。たとえば、赤色ＬＥＤと昼光色ＬＥＤとを１００：６０の出力比で点灯させる場合は、調光率の比率が赤色ＬＥＤに比べ小さい昼光色ＬＥＤの明るさが赤色ＬＥＤの点灯時の明るさに対する比率となるように、各所定タイミングで昼光色ＬＥＤのみの調光率を補正（減少）するように制御してもよい。また、赤色ＬＥＤと昼光色ＬＥＤとを６０：１００の出力比で点灯させる場合は、調光率が小さい赤色ＬＥＤのみの調光率を各所定タイミングで補正（増加）するように制御してもよい。後者の例の場合、赤色ＬＥＤの調光率を増加させることで補正するので、照明装置１自体からの照明光の明るさを点灯開始時から低減させることなく、照明色の変化を抑えることが可能となる。
【００６５】
また、上記例では、減光率の異なる赤色ＬＥＤまたは昼光色ＬＥＤのいずれか一方のみの調光率を補正することで、制御のための演算を抑えることができるが、本発明においてはこのような制御方法に限らず、各所定タイミングにおいて各色ＬＥＤ間の明るさの比率が点灯開始時の明るさの比率となるように複数、あるいは全てのＬＥＤの調光率を各所定タイミングにおいて補正するようにしてもよい。
【００６６】
また、点灯開始から所定のタイミングごとに照度センサ２８で各色のＬＥＤの照度を計測して補正値を求める制御では演算量が増す。そのため、好ましくは、図７に表わされたような各色のＬＥＤの減光特性を表わしたデータテーブル（テーブル形式に限定されるものではない）を予め記憶しておき、該減光特性に基づいて上記所定のタイミングでの補正値を算出するようにしてもよい。これにより、上記所定のタイミングでの各色ＬＥＤの照度の計測および減光率の算出を不要とすることができるため演算を抑えることができる。
【００６７】
以降の例では、予め各色のＬＥＤの減光特性を表わしたデータテーブルが記憶されており、制御時にその減光特性を読み出して用いるものとする。なお、この場合には照度センサ２８を不要としてもよい。
【００６８】
＜機能構成＞
図１０は、上記制御を行なうための照明装置１の機能構成の具体例を表わすブロック図である。図１０に表わされる各機能は、照明装置１のＣＰＵ２２がメモリ２９に記憶されているプログラムを読み出して実行することで、主にＣＰＵ２２上に形成されるものであるが、少なくとも一部が図２に表わされたハードウェア構成によって形成されてもよい。
【００６９】
図１０を参照して、メモリ２９には、たとえば図７で表わされたような、各ＬＥＤモジュール３１，３２，３５，３７の減光特性を表わしたデータテーブルを記憶するための記憶領域である減光特性記憶部２９１が設けられる。
【００７０】
さらに図１０を参照して、ＣＰＵ２２は、操作スイッチ４２からの操作信号に基づいて点灯するＬＥＤモジュールと点灯開始時の出力比とを特定することで照明色を設定するための照明色設定部１０１と、点灯するＬＥＤモジュールの減光特性を減光特性記憶部２９１から読み出すための読出部１０２と、減光特性に基づいて所定のタイミングでの各ＬＥＤの調光率を算出するための算出部１０３と、上記所定のタイミングで算出された調光率なるよう該当するＬＥＤモジュールの調光率を補正するための制御信号をＰＷＭ制御回路２３に対して出力し、各ＬＥＤモジュールの調光率を補正するための出力制御部１０４とを含む。
【００７１】
＜制御フロー＞
図１１は、照明装置１において、異なる複数色のＬＥＤモジュールを用いる照明色で照明する際の制御の流れを表わすフローチャートである。図１１のフローチャートに表わされる制御は、ＣＰＵ２２がメモリ２９に記憶されているプログラムを読み出して実行し、図１０の各機能を発揮させることによって実現される。
【００７２】
図１１を参照して、操作スイッチ４２の押下等によって点灯の指示を受け付けると（ステップＳ１０１でＹＥＳ）、ステップＳ１０３でＣＰＵ２２は、その指示内容に基づいて照明色を特定し、該照明色に対応した点灯するＬＥＤモジュールおよび点灯開始時の各ＬＥＤモジュールの出力比率を特定する。そして、ステップＳ１０５でＣＰＵ２２は点灯するＬＥＤモジュールの減光特性を読み出す。
【００７３】
ステップＳ１０７で、予め規定された所定のタイミングでの各ＬＥＤモジュールの出力を算出する。ここでは、点灯するＬＥＤモジュールのうち減光率の最も大きいＬＥＤモジュールの当該タイミングにおける調光率に応じて、他のＬＥＤモジュールの調光率を算出する。そしてステップＳ１０９でＣＰＵは、規定されたタイミングでその調光率となるよう、対象のＬＥＤモジュールの調光率を補正する。
【００７４】
＜実施の形態の効果＞
以上の制御が行なわれることで、照明装置１では、それぞれ異なる複数色のＬＥＤモジュールを用いて照明する際に、点灯開始時からの時間経過に伴う点灯開始時の照明色からの照明色の変化を抑えることができる。すなわち、照明装置１では、点灯開始から時間が経過しても、点灯開始時の照明色を維持して照明し続けることができる。
【００７５】
＜変形例１＞
上の例では、図７に表わされたような各色のＬＥＤの減光特性を表わしたデータテーブルを予め記憶しておき、そのテーブルから減光特性を読み出して予め規定された所定のタイミングで各ＬＥＤモジュールの調光率を算出するものとしている。しかしながら、さらに、図９の右端列に表わされたような、規定された所定のタイミングでの図５、図７で示した減光率の測定結果から算出した補正後の調光率の算出結果も予め記憶しておいて読み出すようにしてもよい。図９の例は上記所定のタイミングが１分間隔であるものとした場合の出力を表わしているが、たとえば１秒ごとなどであってもよい。
【００７６】
このようにすることで、より演算を少なくすることができる。
＜変形例２＞
なお、図５〜図８に表わされたように、減光率は点灯開始からの最初の１分が大きく、その後は徐々に小さくなる。これは、図７および図８より、赤色であっても他の色であっても同様であることがわかる。
【００７７】
そこで、好ましくは、照明装置１では、減光率が大きい期間は上記所定のタイミングの間隔を短くして調光率を補正し、減光率が小さくなるに連れて上記所定のタイミングの間隔を長くして調光率を補正するようにする。すなわち、調光率を補正するタイミングの時間間隔を、点灯開始時から徐々に長くする。たとえば、点灯開始から最初の１分間は減光率が大きいため１秒ごとに調光率を補正し、その後は減光率が小さくなるので１分単位で調光率を補正する。
【００７８】
たとえば、図９で表わされた、赤色：昼光色の出力比が１００％：６０％として点灯する場合、点灯開始からの最初の１分間で昼光色ＬＥＤの調光率を６０％から５８．１％まで１．９％下げる必要がある。そこで、一例として、最初の１分間は、３秒間隔で０．１％ずつ、１９回に分けて調光率を補正する。
【００７９】
第１の変形例で説明したように、予め所定のタイミングごとの調光率の補正値を記憶しておく場合、この例の場合には図１２のような調光率を変化させるタイミングを規定したテーブルを記憶しておけばよい。図１２のテーブルにおいて「１」が規定されているタイミングは昼光色のＬＥＤモジュールの調光率を補正する（０．１％下げる）タイミングを表わしている。ＣＰＵ２２は、点灯開始から１秒ごとに図１２のテーブルを参照し、「１」が入っている場合は昼光色のＬＥＤモジュールの調光率を０．１％下げる。
【００８０】
なお、調光率の補正は必ずしも均等な時間間隔で行なわれなくてもよい。また、０．１％ずつでなく、０．３％や０．５％ずつ下げてもよいし、さらに細かい比率の調光制御を行なってもよい。
【００８１】
このように、調光率を補正するタイミングを減光率の変化に応じて変化させることで、減光率が大きくない期間では補正の間隔を長く、つまり補正の回数を少なくすることができる。そのため、制御を容易にすることができるとともに、図１２で表わされたような調光率の変化を規定したテーブルを予め記憶しておく場合にはそのデータ量を抑えることもできる。また、減光率の変化が大きい期間では補正の間隔を短くすることで、照明色の変化が目立ちにくくなるように制御することが可能となる。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８３】
１  照明装置、２  シャーシ、８，９  カバー、１０  電源回路、２０  照明制御部、２１  制御電源供給回路、２２  ＣＰＵ、２３  ＰＷＭ制御回路、２６  入力部、２７  水晶発振子、２８  照度センサ、２９  メモリ、３０  照明部、３１，３２，３５，３７  ＬＥＤモジュール、３３，３４，３６，３８  ＦＥＴスイッチ、４０  インタフェース部、４２  操作スイッチ、１０１  照明色設定部、１０２  読出部、１０３  算出部、１０４  出力制御部、２９１  減光特性記憶部。
【図１】
2013239339.tif 000003
【図２】
2013239339.tif 000004
【図３】
2013239339.tif 000005
【図４】
2013239339.tif 000006
【図５】
2013239339.tif 000007
【図６】
2013239339.tif 000008
【図７】
2013239339.tif 000009
【図８】
2013239339.tif 000010
【図９】
2013239339.tif 000011
【図１０】
2013239339.tif 000012
【図１１】
2013239339.tif 000013
【図１２】
2013239339.tif 000014